【手続補正書】
【提出日】平成21年8月3日(2009.8.3)
【手続補正１】
【補正対象書類名】明細書
【補正対象項目名】全文
【補正方法】変更
【補正の内容】
【発明の詳細な説明】
【発明の名称】音声入力パソコン
【技術分野】
【０００１】  本発明は、従来のパーソナルコンピュータの音声入力を図った事に関する。
【背景技術】
【０００２】  従来の音声入力文字化パーソナルコンピュータは一個又は複数のランダムアクセスメモリー上をソフトウエアで一音毎に速度を上げコンピュータ処理速度に上げていった。その為ソフトウエアが長く、一音毎サンプリング数も少なく、一音毎の変換ミスが多かった。【０００３】  又、従来の音声入力文字化パーソナルコンピュータでは一個のＭＰＵで処理していた為、ワープロソフトウェアのみであった。
【先行技術文献】
【特許文献】
【０００４】
【特許文献１】特開２００５−１８８９１５
【特許文献２】特開２００２−２４４８４０
【発明の概要】
【発明が解決しようとする課題】
【０００５】  以上に述べた従来のパーソナルコンピュータでは、一個のＭＰＵで音声文字化の処理をしていたのでワープロソフトウェア以外では全く使用できず、他のソフトウエアに使用するには限界があった、これはワープロソフトウェアと音声文字化ソフトウエアの組合せると他のソフトウエアの組合せるとソフトウエアが長すぎる為であった。
【課題を解決するための手段】
【０００６】  そして本発明では上記目的を達成するためにランダムアクセスメモリーを直列に３個、配置して徐々にコンピュータ処理速度を上げ、具体的には１段目では約１０００倍、２段目では約１０００倍、３段目では約１００倍〜約１０００倍位にしてコンピュータ処理速度にする、そしてこのコンピュータでは単に音声文字化のみの定義処理とし、単に定義処理部分では、音声文字化のみの処理とする。【０００７】  更に課題を解決する為に従来のＭＰＵを上位コンピュータとして既存のソフトウエアを用い、ワープロソフトウェア、経理帳簿、ＣＡＤ、ＣＧ等の入力を音声で行う事ができる。
【発明の効果】
【０００８】  上述したように本発明ではマイクで集音した後オートボリュームコントロール付きのアンプを経てフィルターにて音声の余分な成分、一人毎の異なる音質を除去しアナログ／デジタルコンバータにてデジタル化し、一音毎の句間の謂ゆる電圧の下がる部分を、若しくは０ビットに成るところを検出する回路にて、謂ゆる一音毎の句間アナログ／デジタルコンバータから検出回路にて、電子回路、即ち一音毎の句間判別回路にて電子スイッチで区切り、ランダムアクセスメモリー１段目に入力し同期信号又はタイミングパルスを切り換えて、約１０００倍の速度で出力し、そして電子スイッチで更に２段目のランダムアクセスメモリーにて前記と同様に同期信号又はタイミングパルスを電子スイッチにて切り換え約１０００倍の速度にして更に３段目のランダムアクセスメモリーに約１００倍〜約１０００倍位の速度にして一音毎の句間を句間判別回路又は検出回路にて一音毎のデジタル化した音声の数値を下位コンピュータにて既にある音声数値化モデルと比較して、照合して一音毎の認識して音声文字化を行う。【０００９】  上述したように本発明の音声文字化パーソナルコンピュータでは、音声文字化を下位コンピュータ即ちマルチコンピュータシステムでもあり、音声文字のみの下位コンピュータを用いる事で上位ＭＰＵ又はコンピュータでは既存のソフトウエア即ちワープロソフトウェアも含められるワープロソフト等を用いて経理帳簿、ＣＡＤ、ＣＧ等の計算プログラム等にも簡単に使用できる。
【図面の簡単な説明】
【００１０】
【図１】本発明の実施形態を示す音声入力文字化パーソナルコンピュータのブロック図
【図２】音声入力文字化パーソナルコンピュータの使用を簡単にするＯＳ図
【図３】ＯＳ図の上位ソフトウエアで言語変換プログラム図
【図４】ＯＳ図の上部ソフトウエアの四則演算と言語変換プログラムとの組合せプログラム図
【発明を実施するための最良の形態】
【００１１】  以下、本発明の実施形態を図１〜図４に基づいて説明する。【００１２】  図１においてマイク１にて音声を集音してアンプ２、オートボリュームコントロール付２にて音声を一定の音量にして、フィルター３にて音声の中から音声の余分の成分を除去してから、アナログ／デジタルコンバータ４にてデジタル化即ち数値化して一音毎の句間、アナログ／デジタルコンバータ４から具体的にデジタル量の最も小さな部分を句間として検出する為の検出回路９これは一音毎の句間判別回路でもある、そして電子スイッチで一音毎又は少数の複数音一語として入出力速度変換回路、ランダムアクセスメモリー６ａにて１０００倍の速度にして出力し、次に電子スイッチ５ｂにて回路を一音毎の句間の検出回路９から指示又は信号を出力して回路を開き２段目のランダムアクセスメモリー６ｂにて出力を１０００倍にして出力する、そして更に電子スイッチ５ｃにて一音毎の句間を検出して回路を開き３段目の入出力速度変換ランダムアクセスメモリー６ｃに約１００倍〜約１０００倍位に速度を上げる、この時ランダムアクセスメモリー６ａ、６ｂ、６ｃのタイミングパルス又は同期信号を変換する為に検出回路９から高速出力回路１０に信号を送り又は指示信号を送り、高速出力回路１０からランダムアクセスメモリー６ａ、６ｂ、６ｃに信号即ちタイミングパルス又は同期信号を入力の時と出力時に約１０００倍位の速度のタイミングパルス又は同期信号を出力して、音声のデジタル化した一音毎のデジタル音声を高速出力して、定義処理７のコンピュータの処理速度に同期させ定義処理７にてデジタル化した音声を文字に変換する、そして本来のＭＰＵ８にてワープロソフトウェアにて文章化する、そしてディスプレイ１１又はプリンタ１２に印字又は表示する。そして上部ソフトウェアと、言語変換ＯＳプログラムは１つとし、上部ソフトは交合とし計算等のＷＩＮ語とその他のコンピュータ語は、計算式のそのままに表示する為計算出来ない、この為暴力ソフトは動かない。【００１３】  更に上述の目的を達成する為にソフトウエアにても考えた、ソフトウエア図２のＯＳを小分けにする事により利便性が増し、更に暴力ソフトウエア即ち計算プログラムでもあるから、図２のＳ１，１７ａを通信用ＯＳとし更に見開き２を言語プログラム変換のみにすると暴力ソフトウエアプログラムはアッセブラプログラム又は通常マイクロプログラミングである、具体的にはコンピュータウイルス、ペニー、ウィニーなどハッカー等は計算プログラムで成り立っている、従って言語のみの言語変換プログラムにては、計算プログラムの例えばコンピュータウイルス等の計算プログラムで侵入しても単に言語としか表示又はコンピュータは動作せず、従ってコンピュータウイルス等の計算プログラムが表示又はプリントそれ以上動作しない、これはコンピュータウイルス等は計算式で成り立ち、具体的にはコンピュータウイルスは掛け算等を無限大迄行う、そして他のウィニーやペニー等の暴力ソフトウエアプログラム等でも計算プログラムで成り立ち、通信用ＯＳを言語変換プログラムにする事により単に暴力ソフトウエアは全て計算プログラムの表示迄となりコンピュータ上暴力を行えない、そして見開き２のＯＳと単独のＳ１〜Ｓ６を言語変換のみとしワープロソフトウェア専用とする、ここで見開き２のＳ１〜Ｓ６迄は音楽、映像等も処理できる。【００１４】  前述により、Ｓ１を通信用ＯＳ、Ｓ２〜Ｓ６等を例えば言語変換プログラムのワープロソフトウェアとし、Ｓ３も同様に言語変換プログラムのワープロソフトとしても良い、又見開き３Ｓ７は四則演算のみの経理用ＯＳ等その他とするコンピュータウイルス等の計算プログラムで成り立つ暴力ソフトウエアでは四則演算のみの中だけの動作となり、暴力ソフトウエアは少しだけしか動作しない。【００１５】  更に計算プログラムで成り立つ見開き４のＳ１３〜Ｓ１７をＣＡＤ、ＣＧ、化学、物理、構造計算、流体力学等をＳ１３〜Ｓ１７等として単独の計算プログラムＯＳとして関数や微分、積分式等で構成して計算プログラムとして単独で独立したＯＳにすると、通信用ＯＳ、Ｓ１等に入ったコンピュータウイルス、ウイニー、ペニー等は動作できない、この様に見開き２を言語変換プログラムのみとして使用すると暴力ソフトウエアを動作できない、又見開き３のＳ７〜Ｓ１２迄の四則演算のみと言語変換プログラムとすると暴力ソフトウエアは四則演算しか作動しない為、暴力ソフトは無限大の四則演算以外の数学上の数式を使用している為、それらは単に言語と数字と無限大の数式上の式は単に文字として表示し、動作できない、又見開き４，１６のＳ１３〜Ｓ１７迄計算プログラム又は数式を含む物と言語変換プログラムと組合せすると暴力ソフトは作動するが、通信用プログラムを見開き２，１４のＳ１，１７ａのみの言語変換プログラムであると、暴力ソフトは作動せず又各個独立したＯＳＳ１〜Ｓ１７迄とすると、独立している為より安全性が高まる、更にＳ１８，２６を消去プログラムとする、ここで見開き１，１３はスタートページである。【００１６】  図３を用いて見開き２言語変換プログラムのみのワープロソフト即ち上位ソフトウエアをある程度一つの様式化して、小分けにしてＳ２，１７ｂの上にＳＡ，２０を使用してＳＡ１〜ＳＡ８，２１迄とし、実行を２２とし元に戻るを２３として手法を様式化し全て同一の手法様式にすると一つの考え方で使用できる為、簡易に使用する事ができる、更に小分けしなければならない場合ＳＡ２０の見出しをＳＡ１，２１をＳＡ，２０と同様に見出しにし小分けし、同一の使用方法にすると同一の使用方法、考え方で一つの使用方法を覚えると、全て同じ使用方法に成る、又ワープロソフト等で従来無かった途中で字体や文字の大きさを変えるのは、文章の途中で見出しに一度戻し、その中から字体や文字の大きさ又は色等を指定してその部分だけプログラムの命令語を変える事ができる。【００１７】  図４の見開き３言語変換プログラムと四則演算のみのＯＳで構成されたＯＳは経理帳簿、在庫管理、生産管理その他等の四則演算のみの帳簿等に向いている、見開き２と同様に一つのＯＳの上に上位ソフトウエアを載せ小分けにし、使用方法のパターンを小分けの一つづつ具体的にＳ７，１８の上に目的の上位ソフトウエアＳＧ，２４載せＳＧ１，２５からＳＧ８，２５迄小分けにしこれを分野、分類別にし実行２２、戻る２３とし場合によっては小分けを増やしても良いし、又小分け部分の下位に更に小分け���フトウエアを作り同一パターンで使用すると、同一方法で同一の手法、様式等で、一つの使用方法を覚えれば、あとはＳＧ，２４の見出しで目的のメニューを見て目的のメニューの中から指定して使用する。【００１８】 図３のＳＡ１の２１の１つの上部ソフトウェアの有り方として、そのソフトウェアのプログラムの実行２２とし使用しても良いし、又は元に戻る２３で上部ソフトウェアプログラムと利用し易く簡易に成る、又この為、従来のトラック等必要なく、ＳＡ１lang=EN-US>,２１、実行２２、元に戻る２３と閉じる、又はＯＦＦ２９で次に進むは３０でこれらは四角い中に文字で表示する、そしてマウスでポインター又はアイコン等で、クリックして実行する、この上部ソフトの使用法は携帯電話メニューで同様に利用出来る。
【符号の説明】
【００１９】  １   マイク  ２   アンプ、オートボリュームコントロール付  ３   フィルター  ４   アナログ／ディジタルコンバーター  ５ａ 電子スイッチ  ５ｂ 電子スイッチ  ５ｃ 電子スイッチ  ５ｄ 電子スイッチ  ６ａ ランダムアクセスメモリー  ６ｂ ランダムアクセスメモリー  ６ｃ ランダムアクセスメモリー  ７   定数処理、下位コンピュータ  ８   コンピュータ  ９   検出回路（句間判別回路）  １０   高速出力回路  １１   表示、ディスプレイ装置  １２   プリンタ  １３   ＯＳの見開き１  １４   ＯＳの見開き２  １５   ＯＳの見開き３  １６   ＯＳの見開き４  １７ａ 通信用ＯＳの言語変換プログラムのみ  １７ｂ 言語変換プログラムのみ  １８   言語変換プログラムのみと四則演算のプログラム  １９   言語変換プログラムと計算プログラム  ２０   ワープロソフトウェア等の見出し  ２１   ワープロソフトウェアの小分けした部分  ２２   実行  ２３   元に戻る為の実行  ２４   言語変換プログラムと四則演算プログラムの組合せの見出し  ２５   言語変換プログラムと四則演算プログラムの小分けした部分  ２６   消去プログラム  ２７   上部ソフトウェアメニュー又は目的の実行ソフトウェアプログラム  ２９   閉じる、又はＯＦＦ  ３０   次に進む
【手続補正２】
【補正対象書類名】図面
【補正対象項目名】全図
【補正方法】変更
【補正の内容】
【図１】
2009080471.tif 000001
【図２】
2009080471.tif 000002
【図３】
2009080471.tif 000003
【図４】
2009080471.tif 000004
【手続補正３】
【補正対象書類名】特許請求の範囲
【補正対象項目名】全文
【補正方法】変更
【補正の内容】
【特許請求の範囲】
【請求項１】
音声をマイクで集音して、アンプで増幅して、オートボリュームコントロールで、音声の音量を一定にし、フィルターにて音声の余分な成分を除去して、アナログデジタルコンバータにてデジタル化して、音声のある程度一音毎の音声を検出回路で検出して、一音毎に１個目のランダムアクセスメモリーに入力して、一音毎に出力速度を約１０００倍にして出力速度を同期信号又はタイミングパルスにて、２個目のランダムアクセスメモリーに一音毎の音声出力を約１０００倍にして前記同様に同期信号又はタイミングパルスを切り換えて３個目のランダムアクセスメモリーで約１００倍〜約１０００倍位にして定義処理のコンピュータの処理速度にして一音毎の信号即ちデジタル化した音声の信号を定義処理のコンピュータにてパターン認識して音声を文字化して、一音毎の文字化した信号を従来のＭＰＵ即ち上位コンピュータにてワープロソフトウェアにて、文字化文章する。